(57)【要約】      （修正有）【課題】フィラメント内容体で卵型支持部を備える発泡部を包覆した枕を提供する。【解決手段】フィラメント形状記憶枕は、少なくとも一面に複数の卵型支持部１１１を設けた発泡部１と、化学繊維フィラメントの延伸層を重ね合わせて構成し尚且つ発泡部を包み込み、化学繊維フィラメントの一部を卵型支持部１１１の間に嵌設するフィラメント内容体２とを含む。これにより、前記化学繊維のフィラメントは良好な通気性、高強度、高弾性を備えた特徴を有する。さらに、化学的柔軟処理を採用し、シルクに匹敵する快適性を実現し、シルク素材に取って代わることができるため大幅な製造コスト削減となる。また、前記フィラメント内容体と発泡部には外カバー３を被せてあり、使用者が使用する時、長期間使用してもフィラメント内容体２の位置とふっくら感を維持することができる故、良好な柔軟快適度と弾性支持力を兼ね備えた特徴と効果を確実に実現する。【選択図】図３
2014004312.tif 000002
【特許請求の範囲】
【請求項１】
少なくとも一面に複数の卵型支持部を設けた発泡部と、
化学繊維フィラメントの延伸層を重ね合わせて構成し尚且つ発泡部を包み込み、化学繊維フィラメントの一部を卵型支持部の間に嵌設するフィラメント内容体と、を含むフィラメント形状記憶枕。
【請求項２】
前記フィラメント形状記憶枕にはさらに、収容空間を備え尚且つフィラメント内容体と発泡部を収容空間内に取り付ける外カバーを含むことを特徴とする請求項１に記載のフィラメント形状記憶枕。
【請求項３】
前記発泡部は少なくとも一つの発泡体を含み、該発泡体はそれぞれ、その外表面に卵型支持部を形成し、尚且つフィラメント内容体は発泡体の外表面を包覆し、化学繊維フィラメントの一部を卵型支持部間に嵌設することを特徴とする請求項１或いは請求項２に記載のフィラメント形状記憶枕。
【請求項４】
前記発泡部は形状記憶スポンジ、ポリウレタン、ラテックス、シリカゲルの何れかとすることを特徴とする請求項３に記載のフィラメント形状記憶枕。
【請求項５】
前記化学繊維フィラメントは化学的柔軟処理を施して製作することを特徴とする請求項３に記載のフィラメント形状記憶枕。
【請求項６】
前記化学繊維フィラメントはジメチコンを添加して化学的柔軟処理を施すことを特徴とする請求項５に記載のフィラメント形状記憶枕。
【発明の詳細な説明】
【技術分野】
【０００１】
本発明は、特に、フィラメント内容体で卵型支持部を備える発泡部を包覆し、柔軟性と快適性及び弾性支持力を備えたフィラメント形状記憶枕に関する。
【背景技術】
【０００２】
現代人は日常生活の歩調が早いので、もし精神的なストレスを適度に排除できないなら、深刻な睡眠障害となることもある。そんな時、寝具の適当な寝具を選択することは大きな助けとなる。快適性は睡眠の品質に影響を及ぼす原因である。人類の頚椎部は一旦体を伸ばして横になると、宙に浮いた状態となるため、首のラインを維持するためには適当な支持力を提供する枕が必要となる。同時に枕によって、健康的な睡眠を可能にする姿勢を保つことができる。
【０００３】
しかし、公知の枕を長時間使用すると、使用者が寝る時によく使う箇所が図１に示したような凹んだ状態となる。次に、図２に示したように公知の枕は少なくとも、内部に充填物１０１を詰め、該充填物１０１はダウン、羽毛、シルク、或いは形状記憶綿とする本体１０と、本体１０の外部を包み込むカバー２０とを含む。
【０００４】
公知の枕は未使用の時に、いずれの材質で製作された充填物１０１であっても、ふっくらした状態でなければならず、尚且つ使用者が横たわる時に必要な適度な支持力を提供しなければならない。よって、使用者が本体１０を包み込むカバー２０上に横たわり、その内部の充填物１０１であるダウン、羽毛、或いはシルクが力を受けて押圧されると、力を受けていない方向に移動する。図２に示すとおり、充填物１０１は力を受けた箇所の密度が比較的低くなり、それに対して、力を受けていない箇所の密度が高くなる。このため、位置が移動したり、平たくなってへこむ現象が発生しやすくなる。充填物１０１を形状記憶綿とし長期的に横たわってそれを圧していると、へこんでしまうため、元の状態にすることは難しい。さらに、密度の高い支持力を提供できないため、使用者が枕を使ってしばらく寝た後は、首の筋肉が硬くなり不快感を感じることになる。
【０００５】
市販されている公知の枕には化学繊維の絹紡糸で製作された充填物１０１もあり、その加工過程において、前記化学繊維、絹紡糸が切断されて数センチの長さとなり、切れ易く、尚且つ互いに分離し易い。よって、長期的に使用すると、ふっくら度、通気性、柔軟性が良好でなくなり、さらに、使用者の睡眠の快適レベルに影響を及ぼす。
【発明の概要】
【発明が解決しようとする課題】
【０００６】
本発明の主要な目的は、長期的に使用すると、その内部の各種充填物のへこみや位置移動が発生し、睡眠全体の快適性に影響を及ぼす公知の枕の問題点及び欠点を改善することにある。
【課題を解決するための手段】
【０００７】
以上の目的を達成するために、私ども発明人は、少なくとも一面に卵型支持部を備えた発泡部と、化学繊維フィラメントの延伸層を重ね合わせて構成し尚且つ発泡部を包み込み、化学繊維フィラメントの一部を卵型支持部の間に嵌設するフィラメント内容体とを含むフィラメント形状記憶枕を提供する。
【０００８】
また、前記フィラメント形状記憶枕はさらに、収容空間を備え、尚且つフィラメント内容体と発泡部を収容空間内に取り付ける外カバーを含む。
【０００９】
前記フィラメント形状記憶枕において、その内の発泡部は少なくとも一つの発泡体を含み、該発泡体はそれぞれ、その外表面に卵型支持部を形成し、尚且つフィラメント内容体はそれらの発泡体の外表面を包覆し、化学繊維フィラメントの一部を卵型支持部の間に嵌設する。
【００１０】
前記フィラメント形状記憶枕において、その内の発泡部は形状記憶スポンジ、ポリウレタン、ラテックス、シリカゲルの何れかとする。
【００１１】
前記フィラメント形状記憶枕において、その内の化学繊維フィラメントは化学的柔軟処理を施して製作する。
【００１２】
前記フィラメント形状記憶枕において、その内の化学繊維フィラメントはジメチコンを添加して化学的柔軟処理を施す。
【発明の効果】
【００１３】
従来の技術と比較すると、上述の構成による本発明は、フィラメント内容体を配置し、尚且つ卵型支持部を備えた発泡部を組み合わせることにより、化学繊維フィラメントの一部を卵型支持部の間に嵌設する。よって、本発明は力を受けて押圧されても、フィラメント内容体が確実に発泡部を包み込むため位置ずれすることがなく、尚且つ、前記化学繊維フィラメントの快適度はシルクに匹敵し、シルクに取って代わることができるためコスト削減効果を発揮し、尚且つ、発泡部が適度な支持力を与える故、本発明は、好ましい柔軟性快適度、弾性支持力を備える特徴を有し、その効果を発揮するものとなる。
【図面の簡単な説明】
【００１４】
【図１】公知枕を使用した後の立体外観図である。
【図２】公知枕の使用状態図である。
【図３】本発明の分解図である。
【図４】本発明の断面図である。
【図５】本発明の使用状態図である。
【図６】本発明図５の一部断面図である。
【発明を実施するための形態】
【００１５】
本発明の提供するフィラメント形状記憶枕の実施手段、特徴、及びその効果について深く理解して戴くために、次に、図面を組み合わせた好ましい実施例をいくつか挙げて詳細説明を行う。
【００１６】
まず、図３及び図４に示すとおり、本発明のフィラメント形状記憶枕は、発泡部１、フィラメント内容体２、外カバー３を含む。
前記発泡部１は、少なくとも一つの発泡体１１ａ、１１ｂを含み、発泡体１１ａ、１１ｂはそれぞれその少なくとも一面に複数の卵型支持部１１１を設け、発泡部１は形状記憶スポンジ、ポリウレタン、ラテックス、シリカゲルの何れかとする。
前記フィラメント内容体２は、化学繊維フィラメントの延伸層を重ね合わせて構成し、尚且つフィラメント内容体２は、発泡部1を包み込む。即ち、フィラメント内容体２は、卵型支持部１１１を一面に備えた発泡体１１ａ、１１ｂを包覆し、化学繊維フィラメント一部を卵型支持部間に嵌設する。また、化学繊維フィラメントはジメチコンを添加して化学的柔軟処理を施す。
前記外カバー３は、収容空間３１を備え、尚且つフィラメント内容体２と発泡部１を収容空間３１内に取り付ける。
【００１７】
ここで特筆するが、本実施例における発泡部１は、二つの発泡体１１ａ、１１ｂを組み合わせて構成したものであるが、これに限定されることはない。即ち、発泡部１は単一の発泡体としてもよく（未図示）、単一の発泡体の対応する両面に卵型支持部１１１を形成するか、或いは単一の発泡体の卵型支持部１１１を設けた一面を外側方向に二つに折り、前記化学繊維フィラメントを卵型支持部１１１の間に嵌設し、定位効果を生じさせる。
【００１８】
続いて、図５の本発明の使用状態に示すとおり、使用者が本発明に横向きに横たわった場合、フィラメント内容体２は力を受けて発泡部１方向に押圧される。図６に示すとおり、フィラメント内容体２は発泡部１の外部に繞設されており、化学繊維フィラメントは卵型支持部１１１の間に嵌設されている。圧迫する力を受けた化学繊維フィラメントは卵型支持部１１１に嵌設されているため、力を受けて方向が変化しても、前記化学繊維フィラメントを移動させることはできない。さらに、発泡部１は、下方向に圧する重力に対して均等な逆方向の支持力を与える。言い換えれば、使用者がいかなる姿勢をとって横たわり圧したとしても、フィラメント内容体２は発泡部１の外部に定位する。
【００１９】
上述の説明及び構成により、本発明には主に、次のような特徴及び効果を有することが理解される。詳細を下記の通りである。
(１)製造コストの削減：本発明の化学繊維フィラメントは化学柔軟処理を通して柔らかく滑らかな感触を生じさせ、シルクに匹敵する快適度を備える。さらに前記化学繊維フィラメントの構造は、物理的に引っ張り尚且つ層を重ね合わせて構成されるもので、その弾性を増加させ、ふっくら度が長く保たれるため、伝統的なシルクに取って代わるもので、大幅に製造コストを低下させることができる。
(２)柔軟度及び支持力を兼ね備える：長期的に使用すると充填物が移動し、へこんでしまう欠点を有する公知枕と比較し、卵型支持部を備える発泡部を組み合わせたフィラメント内容体の設置により、化学繊維フィラメントが卵型支持部に嵌設されるため、力を受けて変形しても位置移動することがない。さらに、フィラメント内容体は高度の弾性を備え、尚且つ発泡部は力を受けた後に逆方向の支持力を提供し、使用時には元の形状を簡単に回復する。また、本発明には、好ましい柔軟度と支持力が兼ね備えられている特徴を有する。
(３)睡眠の快適性を高める：本発明の化学繊維フィラメントは数十センチ以上引っ張り伸ばすことができ、簡単に切れることがなく、尚且つ、良好な通気性を備え、使用者が枕を使用する時に蒸し暑さを感じさせることなく、さらに、層を重ね合わせた構造によって強度と弾性が強化されている。また、発泡部とフィラメント内容体を相互に配置するため、力を受けたときに全体の密度が充分であり、確実に良好な支持力を提供できる。それと共に、使用者の首の曲線にぴったり合うため、睡眠の快適度を大幅に高める効果を有する。
【００２０】
ただし、以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００２１】
１０  本体
１０１  充填物
２０  カバー
１  発泡部
１１ａ、１１ｂ  発泡体
１１１  卵型支持部
２  フィラメント内容体
３  外カバー
３１  収容空間
【図１】
2014004312.tif 000003
【図２】
2014004312.tif 000004
【図３】
2014004312.tif 000005
【図４】
2014004312.tif 000006
【図５】
2014004312.tif 000007
【図６】
2014004312.tif 000008
【手続補正書】
【提出日】平成24年10月19日(2012.10.19)
【手続補正１】
【補正対象書類名】明細書
【補正対象項目名】全文
【補正方法】変更
【補正の内容】
【発明の詳細な説明】
【技術分野】
【０００１】
本発明は、特に、フィラメント内容体で卵型支持部を備える発泡部を包覆し、柔軟性と快適性及び弾性支持力を備えたフィラメント形状記憶枕に関する。
【背景技術】
【０００２】
現代人は日常生活の歩調が早いので、もし精神的なストレスを適度に排除できないなら、深刻な睡眠障害となることもある。そんな時、寝具の適当な寝具を選択することは大きな助けとなる。快適性は睡眠の品質に影響を及ぼす原因である。人類の頚椎部は一旦体を伸ばして横になると、宙に浮いた状態となるため、首のラインを維持するためには適当な支持力を提供する枕が必要となる。同時に枕によって、健康的な睡眠を可能にする姿勢を保つことができる。
【０００３】
しかし、公知の枕を長時間使用すると、使用者が寝る時によく使う箇所が図１に示したような凹んだ状態となる。次に、図２に示したように公知の枕は少なくとも、内部に充填物１０１を詰め、該充填物１０１はダウン、羽毛、シルク、或いは形状記憶綿とする本体１０と、本体１０の外部を包み込むカバー２０とを含む。
【０００４】
公知の枕は未使用の時に、いずれの材質で製作された充填物１０１であっても、ふっくらした状態でなければならず、尚且つ使用者が横たわる時に必要な適度な支持力を提供しなければならない。よって、使用者が本体１０を包み込むカバー２０上に横たわり、その内部の充填物１０１であるダウン、羽毛、或いはシルクが力を受けて押圧されると、力を受けていない方向に移動する。図２に示すとおり、充填物１０１は力を受けた箇所の密度が比較的低くなり、それに対して、力を受けていない箇所の密度が高くなる。このため、位置が移動したり、平たくなってへこむ現象が発生しやすくなる。充填物１０１を形状記憶綿とし長期的に横たわってそれを圧していると、へこんでしまうため、元の状態にすることは難しい。さらに、密度の高い支持力を提供できないため、使用者が枕を使ってしばらく寝た後は、首の筋肉が硬くなり不快感を感じることになる。
【０００５】
市販されている公知の枕には化学繊維の絹紡糸で製作された充填物１０１もあり、その加工過程において、前記化学繊維、絹紡糸が切断されて数センチの長さとなり、切れ易く、尚且つ互いに分離し易い。よって、長期的に使用すると、ふっくら度、通気性、柔軟性が良好でなくなり、さらに、使用者の睡眠の快適レベルに影響を及ぼし、更に化学繊維の絹紡糸がカバーから突き出る状況が加わり、使用者がうつ伏せで寝た時に化学繊維の絹紡糸を吸い込む原因となり、気道と使用者の健康上の懸念に影響を与える。
【発明の概要】
【発明が解決しようとする課題】
【０００６】
本発明の主要な目的は、長期的に使用すると、その内部の各種充填物のへこみや位置移動が発生し、睡眠全体の快適性に影響を及ぼし、かつ人体の健康を傷つける公知の枕の問題点及び欠点を改善することにある。
【課題を解決するための手段】
【０００７】
以上の目的を達成するために、私ども発明人は、少なくとも一面に卵型支持部を備えた発泡部と、化学繊維フィラメントの延伸層を重ね合わせて構成し尚且つ発泡部を包み込み、化学繊維フィラメントの一部を卵型支持部の間に嵌設するフィラメント内容体とを含むフィラメント形状記憶枕を提供する。
【０００８】
また、前記フィラメント形状記憶枕はさらに、収容空間を備え、尚且つフィラメント内容体と発泡部を収容空間内に取り付ける外カバーを含む。
【０００９】
前記フィラメント形状記憶枕において、その内の発泡部は少なくとも一つの発泡体を含み、該発泡体はそれぞれ、その外表面に卵型支持部を形成し、尚且つフィラメント内容体はそれらの発泡体の外表面を包覆し、化学繊維フィラメントの一部を卵型支持部の間に嵌設する。
【００１０】
前記フィラメント形状記憶枕において、その内の発泡部は形状記憶スポンジ、ポリウレタン、ラテックス、シリカゲルの何れかとする。
【００１１】
前記フィラメント形状記憶枕において、その内の化学繊維フィラメントは化学的柔軟処理を施して製作する。
【００１２】
前記フィラメント形状記憶枕において、その内の化学繊維フィラメントはジメチコンを添加して化学的柔軟処理を施す。
【発明の効果】
【００１３】
従来の技術と比較すると、上述の構成による本発明は、フィラメント内容体を配置し、尚且つ卵型支持部を備えた発泡部を組み合わせることにより、化学繊維フィラメントの一部を卵型支持部の間に嵌設する。よって、本発明は力を受けて押圧されても、フィラメント内容体が確実に発泡部を包み込むため位置ずれすることがなく、尚且つ、前記化学繊維フィラメントの快適度はシルクに匹敵し、シルクに取って代わることができるためコスト削減効果を発揮し、尚且つ、発泡部が適度な支持力を与える故、本発明は、好ましい柔軟性快適度、弾性支持力を備える特徴を有し、その効果を発揮するものとなる。
【図面の簡単な説明】
【００１４】
【図１】公知枕を使用した後の立体外観図である。
【図２】公知枕の使用状態図である。
【図３】本発明の分解図である。
【図４】本発明の断面図である。
【図５】本発明の使用状態図である。
【図６】本発明図５の一部断面図である。
【発明を実施するための形態】
【００１５】
本発明の提供するフィラメント形状記憶枕の実施手段、特徴、及びその効果について深く理解して戴くために、次に、図面を組み合わせた好ましい実施例をいくつか挙げて詳細説明を行う。
【００１６】
まず、図３及び図４に示すとおり、本発明のフィラメント形状記憶枕は、発泡部１、フィラメント内容体２、外カバー３を含む。
前記発泡部１は、少なくとも一つの発泡体１１ａ、１１ｂを含み、発泡体１１ａ、１１ｂはそれぞれその少なくとも一面に複数の卵型支持部１１１を設け、発泡部１は形状記憶スポンジ、ポリウレタン、ラテックス、シリカゲルの何れかとする。
前記フィラメント内容体２は、化学繊維フィラメントの延伸層を重ね合わせて構成し、尚且つフィラメント内容体２は、発泡部1を包み込む。即ち、フィラメント内容体２は、卵型支持部１１１を一面に備えた発泡体１１ａ、１１ｂを包覆し、化学繊維フィラメント一部を卵型支持部間に嵌設する。また、化学繊維フィラメントはジメチコンを添加して化学的柔軟処理を施す。
前記外カバー３は、収容空間３１を備え、尚且つフィラメント内容体２と発泡部１を収容空間３１内に取り付ける。
【００１７】
ここで特筆するが、本実施例における発泡部１は、二つの発泡体１１ａ、１１ｂを組み合わせて構成したものであるが、これに限定されることはない。即ち、発泡部１は単一の発泡体としてもよく（未図示）、単一の発泡体の対応する両面に卵型支持部１１１を形成するか、或いは単一の発泡体の卵型支持部１１１を設けた一面を外側方向に二つに折り、前記化学繊維フィラメントを卵型支持部１１１の間に嵌設し、定位効果を生じさせる。
【００１８】
続いて、図５の本発明の使用状態に示すとおり、使用者が本発明に横向きに横たわった場合、フィラメント内容体２は力を受けて発泡部１方向に押圧される。図６に示すとおり、フィラメント内容体２は発泡部１の外部に繞設されており、化学繊維フィラメントは卵型支持部１１１の間に嵌設されている。圧迫する力を受けた化学繊維フィラメントは卵型支持部１１１に嵌設されているため、力を受けて方向が変化しても、前記化学繊維フィラメントを移動させることはできない。さらに、発泡部１は、下方向に圧する重力に対して均等な逆方向の支持力を与える。言い換えれば、使用者がいかなる姿勢をとって横たわり圧したとしても、フィラメント内容体２は発泡部１の外部に定位する。
【００１９】
上述の説明及び構成により、本発明には主に、次のような特徴及び効果を有することが理解される。詳細を下記の通りである。
(１)製造コストの削減：本発明の化学繊維フィラメントは化学柔軟処理を通して柔らかく滑らかな感触を生じさせ、シルクに匹敵する快適度を備える。さらに前記化学繊維フィラメントの構造は、物理的に引っ張り尚且つ層を重ね合わせて構成されるもので、その弾性を増加させ、ふっくら度が長く保たれるため、伝統的なシルクに取って代わるもので、大幅に製造コストを低下させることができる。
(２)柔軟度及び支持力を兼ね備える：長期的に使用すると充填物が移動し、へこんでしまう欠点を有する公知枕と比較し、卵型支持部を備える発泡部を組み合わせたフィラメント内容体の設置により、化学繊維フィラメントが卵型支持部に嵌設されるため、力を受けて変形しても位置移動することがない。さらに、フィラメント内容体は高度の弾性を備え、尚且つ発泡部は力を受けた後に逆方向の支持力を提供し、使用時には元の形状を簡単に回復する。また、本発明には、好ましい柔軟度と支持力が兼ね備えられている特徴を有する。
(３)睡眠の快適性を高める：本発明の化学繊維フィラメントは数メートル引っ張り伸ばすことができ、簡単に切れることがなく、尚且つ、良好な通気性を備え、使用者が枕を使用する時に蒸し暑さを感じさせることなく、さらに、層を重ね合わせた構造によって強度と弾性が強化されている。また、発泡部とフィラメント内容体を相互に配置するため、力を受けたときに全体の密度が充分であり、確実に良好な支持力を提供できる。それと共に、使用者の首の曲線にぴったり合うため、睡眠の快適度を大幅に高める効果を有する。
(４)睡眠の安全性を増進する：本発明の化学繊維フィラメントは一体成型であり簡単に切れない特性を備え、化学繊維の絹紡糸で製作された枕が化学繊維の絹紡糸がカバーから突き出て使用者の睡眠中の呼吸に影響を与えるのに比べ、本発明の化学繊維フィラメントはカバーから突き出ることがない、つまり使用者は睡眠時の呼吸について悩まさせることがなく、使用者は安心して横になることができ、フィラメント形状記憶枕に仰向け或いはうつ伏せで長時間横になることが可能で、睡眠全体の安全性を確実に増進させることができる。
【００２０】
ただし、以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００２１】
１０  本体
１０１  充填物
２０  カバー
１  発泡部
１１ａ、１１ｂ  発泡体
１１１  卵型支持部
２  フィラメント内容体
３  外カバー
３１  収容空間